(57)【要約】【課題】内側に水や栄養剤を収容した容器が備わり、ヘアドライヤーの使用時、水または栄養剤を噴出させ、髪の毛に水または栄養剤を供給することで、髪のきめを保護できるヘアドライヤーを提供する。【解決手段】ファン２００、モータ３００及びヒータ４００が内部に備わる本体１００と、前記本体１００の下部に形成され、ボタン７００が備わる取っ手６００、から構成されており、前記本体１００に締結され、水または栄養剤が充填されたノズル８００を含むヘアドライヤーを構成する。【選択図】図４
2008295758.tif 000002
【特許請求の範囲】
【請求項１】
ファン、モータ及びヒータが内部に備わる本体と、
前記本体の下部に形成され、ボタンが備わる取っ手、から構成されたヘアドライヤーにおいて、
前記本体に締結され、水または栄養剤が充填されたノズルを含むことを特徴とするヘアドライヤー。
【請求項２】
前記ノズルは、本体、収納部及び収容部材を含むことを特徴とする請求項１に記載のヘアドライヤー。
【請求項３】
前記収容部材は、水または栄養剤が充填される容器と、
多孔性金属からなり、前記容器にインサート射出方式で形成された蓋、を含むことを特徴とする請求項２に記載のヘアドライヤー。
【請求項４】
前記蓋の前面に気化フィルタが形成され、充填物質が前記気化フィルタに吸収されて蒸発することで、前記充填物質は、前記気化フィルタによって粒子の大きさが小さくなり、髪の毛に容易に供給されることを特徴とする請求項２に記載のヘアドライヤー。
【請求項５】
ヘアドライヤーの本体上部に前記収納部が備わり、前記収納部に収容部材が収納された後、多孔質金属からなる蓋と気化フィルタが内蔵された前記収容部材にストローが締結され、ヒータによる加熱空気が、ファンによって外部に排出されるときに前記ストローを加熱すると、その熱が前記収容部材に伝達されることで、前記収容部材に充填された物質は、膨張して外部に排出されると同時に、空気と一緒にヘアドライヤーの入口に排出されて髪の毛に供給されることを特徴とするヘアドライヤー。
【発明の詳細な説明】
【技術分野】
【０００１】
本発明は、ヘアドライヤーに関するもので、より詳しくは、ヘアドライヤーの内側に水または栄養剤を収容した容器が備わり、ヘアドライヤーの使用時に水または栄養剤を噴出させ、髪の毛に水または栄養剤を供給することで、髪のきめを保護することができるヘアドライヤーに関するものである。
【背景技術】
【０００２】
一般的に、ヘアドライヤーは、シャンプーした後、髪の毛を乾かしたり、ヘアスタイルを作るために用いられる。
【０００３】
前記ヘアドライヤーは、図１に示すように、本体１０及び取っ手６０を含む。
【０００４】
前記本体１０において、内部後方にはファン２０が形成され、このファン２０の前面にはファン２０を駆動するためのモータ３０が形成され、このモータ３０の前面にはヒータ４０が形成される。
【０００５】
前記ヘアドライヤーの取っ手６０には、ボタン７０が形成される。
【０００６】
前記取っ手６０に形成されたボタン７０を押すと、ヒータ４０が発熱し、ファン２０が駆動しはじめる。その後、前記ファン２０が熱を入口５０に放出することで、髪の毛を乾かしたり、ヘアスタイルを作れるようになる。
【０００７】
しかしながら、前記ヘアドライヤーにおいては、熱によって髪の毛を乾かすので、長時間または長期間使用すると、髪の毛に損傷をもたらすという問題点がある。
【０００８】
そのため、髪のきめを保護するために、水または栄養剤を髪の毛に供給できるヘアドライヤーが提示されている。
【０００９】
前記ヘアドライヤーとしては、図２及び図３に示すように、加熱式ヘアドライヤーと、対流を用いたヘアドライヤーがある。
【００１０】
図２に示した加熱式ヘアドライヤーは、水を収容する収容部８０と、空気を加熱するためのヒータ４０と、前記収容部８０に収容された水を加熱するためのヒータ４０'と、を含み、前記ヒータ４０'によって水が加熱されて蒸発した後、ヘアドライヤーの入口５０を通してスチームを排出させる構造となっている。
【００１１】
上記のような構造のヘアドライヤーは、前記ヒータ４０'によって本体１０が加熱されるので、使用者が火傷を負う危険性がある。
【００１２】
また、ヒータと収容部との接触部位の繊維が濡れていない場合、スチームが発生しないという問題点もある。
【００１３】
すなわち、ヘアドライヤーを長時間使用しない場合、繊維が乾いてしまい、その結果、繊維の炭化が進行して使用不可能になる。
【００１４】
図３に示した対流を用いたヘアドライヤーは、水を収容した収容部８０と、水を排出する排出部９０と、を含み、ヘアドライヤーの作動時、風が入口５０を通して排出されると同時に、前記収容部８０の水が排出される構造となっている。
【００１５】
上記のような構造のヘアドライヤーは、水の噴出量が少ないので、本来の効果を期待できず、体積が大きいという問題点がある。
【００１６】
また、栄養剤が粘度の高い物質である場合、噴出されにくいという問題点がある。
【００１７】
さらに、栄養剤の噴出量増加のために排出部の直径を増加させる場合、平常時にも栄養剤が外部に流出してしまい、ヘアドライヤーの使用時、使用者が感電する危険性がある。
【発明の開示】
【発明が解決しようとする課題】
【００１８】
本発明は、上記のような問題点を解消するためになされたもので、その目的は、内側に水や栄養剤を収容した容器が備わり、ヘアドライヤーの使用時、水または栄養剤を噴出させ、髪の毛に水または栄養剤を供給することで、髪のきめを保護できるヘアドライヤーを提供することにある。
【課題を解決するための手段】
【００１９】
上記の目的を達成するための本発明は、次のような実施例を含む。
【００２０】
本発明の第１実施例によると、本発明のヘアドライヤーは、ファン、モータ及びヒータが内部に備わる本体と、前記本体の下部に形成され、ボタンが備わる取っ手、から構成されるヘアドライヤーにおいて、前記本体に締結され、水または栄養剤が充填されたノズルを含むことを特徴とする。
【００２１】
また、本発明の第２実施例によると、本発明のヘアドライヤーは、前記ノズルが本体、収納部及び収容部材を含むことを特徴とする。
【００２２】
また、本発明の第３実施例によると、本発明のヘアドライヤーは、前記収容部材が、水または栄養剤が充填される容器と、多孔性金属からなり、前記容器にインサート射出方式で形成された蓋、を含むことを特徴とする。
【００２３】
また、本発明の第４実施例によると、本発明のヘアドライヤーは、前記蓋の前面に気化フィルタが形成され、充填物質が前記気化フィルタに吸収されて蒸発することで、前記充填物質は、前記気化フィルタによって粒子の大きさが小さくなり、髪の毛に容易に供給されることを特徴とする。
【００２４】
また、本発明の第５実施例によると、本発明のヘアドライヤーは、ヘアドライヤーの本体上部に前記収納部が備わり、前記収納部に収容部材が収納された後、多孔質金属からなる蓋と気化フィルタが内蔵された前記収容部材にストローが締結され、ヒータによる加熱空気が、ファンによって外部に排出されるときにストローを加熱すると、その熱が収容部材に伝達されることで、収容部材に充填された物質が、膨張して外部に排出されると同時に、空気と一緒にヘアドライヤーの入口に排出されて髪の毛に供給されることを特徴とする。
【発明の効果】
【００２５】
本発明のヘアドライヤーは、内側に水や栄養剤を収容した容器が備わり、ヘアドライヤーの使用時、水または栄養剤を噴出させ、髪の毛に水または栄養剤を供給することで、髪のきめを保護できるという効果を有する。
【発明を実施するための最良の形態】
【００２６】
以下、本発明の好適な実施例を、図面に基づいて詳細に説明する。
【００２７】
図４は、本発明のヘアドライヤーを示した分解斜視図で、図５は、本発明のヘアドライヤーを示した斜視図で、図６は、本発明のヘアドライヤーを示した断面図である。
【００２８】
本発明のヘアドライヤーは、本体１００と、取っ手６００と、水または栄養剤が充填されるノズル８００と、を含む。
【００２９】
前記本体１００は、ファン２００、モータ３００及びヒータ４００を含む。
【００３０】
前記本体１００の内側後方にはファン２００が備わり、前記ファン２００の前方にはファン２００を駆動するためのモータ３００が備わっている。
【００３１】
前記取っ手６００に備わったボタン７００（後述する）を押すと、前記ファン２００は、電源供給を受けて回転し始める。
【００３２】
前記ヒータ４００は、電源供給を受けて空気を加熱する役割をし、ノズル８００に充填された水または栄養剤を膨張させ、入口５００を通して外部に排出させる役割をする。
【００３３】
前記取っ手６００は、本体１００の一側下部に備わり、ボタン７００を含む。
【００３４】
前記取っ手６００に備わったボタン７００は、前記モータ３００を駆動してファン２００を回転させると同時に、ヒータ４００に電源を供給して、ファン２００によって入口５００に排出される空気を加熱する役割をする。
【００３５】
前記ヘアドライヤーの入口５００には、水または栄養剤が充填されたノズル８００が締結される。
【００３６】
前記ノズル８００は、本体８０１と、水または栄養剤が充填された収容部材８１０と、この収容部材８１０が収納される収納部８０３と、を含む。
【００３７】
前記ノズル８００の本体８０１は、前記ヘアドライヤーの入口５００に締結され、前方に行くほど断面積が広くなる形状を有する。
【００３８】
前記本体８０１の内側には収納部８０３が備わり、この収納部８０３には収容部材８１０が収納される。
【００３９】
前記収容部材８１０は、内部に水または栄養剤が充填される容器８１１と、入口をカバーする蓋８１３と、を含む。
【００４０】
前記容器８１１は、内部に収容された物質に熱が容易に伝達されるように、プラスチック、アルミニウムまたは銅などの熱伝導性の高い材料を用いることが好ましく、前記容器８１１の入口には、前記蓋８１３がインサート射出方式で形成される。
【００４１】
前記蓋８１３は、多孔質金属からなり、自然状態では水または栄養剤の蒸発を抑制し、使用時には、ヒータの加熱によって膨張した前記容器８１１の充填物質を噴出させる役割をする。
【００４２】
前記収容部材８１０は、蓋８１３がヘアドライヤーの外側に向かうように収納部８０３に収納される。
【００４３】
図７は、本発明のヘアドライヤーの他の実施例を示した断面図である。
【００４４】
図７に示したヘアドライヤーにおいて、前記収容部材８１０は、蓋８１３がヘアドライヤーの内側に向かうように収納部８０３に収納され、蓋８１３の前面部には気化フィルタ９００が挿入される。
【００４５】
ヒータ４００の加熱空気によって、容器８１１の充填物質が膨張して蓋８１３を通して排出されるとき、この充填物質は、前記気化フィルタ９００によって吸収された後、ファン２００によって外部に排出される空気と一緒に外部に排出される。前記充填物質は、気化フィルタ９００に吸収されて蒸発されることで、粒子の大きさが小さくなり、髪の毛に容易に供給されるようになる。
【００４６】
図８は、本発明のヘアドライヤーの更に他の実施例を示した断面図である。
【００４７】
図８に示したヘアドライヤーにおいて、前記収納部８０３は本体１００の上部に備わり、前記収納部８０３には収容部材８１０が収納され、前記収容部材８１０には、多孔質金属からなる蓋８１３及び気化フィルタ９００が内蔵される。そして、熱伝導率の高い物質からなるストロー１０００には、蓋８１３及び気化フィルタが収容される。
【００４８】
ヒータ４００によって加熱された空気が、ファン２００によって外部に排出されるときにストロー１０００を加熱すると、その熱が収容部材８１０に伝達される。その後、収容部材８１０の充填物質は、膨張して外部に排出されると同時に、空気と一緒にヘアドライヤーの入口を通して排出されて髪の毛に供給される。
【００４９】
以下、本発明の作動状態を、図６に基づいて説明する。
【００５０】
図６を参照すると、前記取っ手６００に形成されたボタン７００を押すと、電源供給を受けた前記モータ３００によってファン２００が回転されると同時に、ヒータ４００が加熱される。
【００５１】
前記モータ３００によって回転するファン２００は、入口５００に空気を排出させるが、このとき、空気は、ヒータ４００を通過しながら加熱される。
【００５２】
前記加熱された空気は、ヘアドライヤーの入口５００を通過しながら、収容部材８１０に充填された水または栄養剤を加熱するが、ここで、水または栄養剤は、前記入口５００に締結されたノズル８００の収納部８０３に収納される収容部材８１０に充填される。
【００５３】
前記収容部材８１０に充填された水または栄養剤は、空気によって加熱され、容器８１１の内部で膨張した後、容器８１１に締結される多孔質金属からなる蓋８１３を通して外部に排出される。
【００５４】
その後、前記容器８１１から排出された水または栄養剤が、ファン２００によって入口５００を通して外部に排出される空気と一緒に外部に排出され、髪の毛に供給されることで、シャンプーした後、髪の毛を乾かしたり、ヘアスタイルを作るとき、髪のきめを保護できるようになる。
【００５５】
以下、本発明の他の実施例の作動状態を説明する。
【００５６】
図７に基づいて説明すると、前記取っ手６００に形成されたボタン７００を押すと、電源供給を受けた前記モータ３００がファン２００を回転させると同時に、ヒータ４００が加熱される。
【００５７】
前記モータ３００によって回転されるファン２００は、空気を入口５００に排出させるが、このとき、空気は、ヒータ４００を通過しながら加熱される。
【００５８】
前記加熱された空気は、ヘアドライヤーの入口５００を通過しながら、収容部材８１０に充填された水または栄養剤を加熱するが、ここで、水または栄養剤は、前記入口５００に締結されたノズル８００の収納部８０３に収納される収容部材８１０に充填される。
【００５９】
前記収容部材８１０に充填された水または栄養剤は、空気によって加熱され、容器８１１の内部で膨張された後、容器８１１に締結される多孔質金属からなる蓋８１３を通して外部に排出され、蓋８１３の外側に備わった気化フィルタ９００に吸収される。
【００６０】
その後、前記容器８１１から排出されて気化フィルタ９００に吸収された水または栄養剤が、ファン２００によって入口５００を通して外部に排出される空気と一緒に外部に排出され、髪の毛に供給されることで、シャンプーした後、髪の毛を乾かしたり、ヘアスタイルを作るとき、髪のきめを保護できるようになる。
【００６１】
以下、本発明の更に他の実施例の作動状態を説明する。
【００６２】
図８に基づいて説明すると、前記取っ手６００に形成されたボタン７００を押すと、電源供給を受けた前記モータ３００によってファン２００が回転されると同時に、ヒータ４００が加熱される。
【００６３】
このとき、ヒータ４００によって加熱された空気が、ファン２００によって外部に排出されるときにストロー１０００を加熱し、この熱が収容部材８１０に伝達される。収容部材８１０に充填された物質は、膨張して収容部材８１０の外部に排出され、空気と一緒にヘアドライヤーの入口を通して排出されることで、髪の毛に供給される。
【００６４】
以上説明した本発明は、上述した実施例及び添付の図面によって限定されるものではなく、本発明の技術的思想を逸脱しない範囲内で多様な置換、変形及び変更が可能であることは、本発明の属する技術分野で通常の知識を有する者にとって明らかであろう。
【図面の簡単な説明】
【００６５】
【図１】一般的なヘアドライヤーを示した断面図である。
【図２】従来のヘアドライヤーを示した断面図である。
【図３】従来の他のヘアドライヤーを示した断面図である。
【図４】本発明のヘアドライヤーを示した分解斜視図である。
【図５】本発明のヘアドライヤーを示した斜視図である。
【図６】本発明のヘアドライヤーを示した断面図である。
【図７】本発明のヘアドライヤーの他の実施例を示した断面図である。
【図８】本発明のヘアドライヤーの更に他の実施例を示した断面図である。
【符号の説明】
【００６６】
１００  本体
２００  ファン
３００  モータ
４００  ヒータ
５００  入口
６００  取っ手
７００  ボタン
８００  ノズル
８０１  ノズル本体
８０３  収納部
８１０  収容部材
８１１  容器
８１３  蓋
【図１】
2008295758.tif 000003
【図２】
2008295758.tif 000004
【図３】
2008295758.tif 000005
【図４】
2008295758.tif 000006
【図５】
2008295758.tif 000007
【図６】
2008295758.tif 000008
【図７】
2008295758.tif 000009
【図８】
2008295758.tif 000010